(57)【特許請求の範囲】
【請求項１】
居室内の親機と玄関に設置された玄関子機とからなるインターホン装置において、前記親機には呼出音を発生する呼出音発生回路と、通話音声を集音するマイクと、前記呼出音及び前記通話音声を増幅するための増幅回路を備え、玄関子機のスピーカから害虫や犬・猫の嫌う、周波数が２０ＫＨｚ以上の高周波を出すための発振回路を前記増幅回路の前段に接続したことで、玄関先に犬・猫が近寄らないようにした玄関子機を備え、
前記発振回路は、通話時、通報時には発振動作を停止することを特徴とするインターホン装置。
【請求項２】
居室内の親機と玄関に設置された玄関子機とからなるインターホン装置において、前記親機には呼出音を発生する呼出音発生回路と、通話音声を集音するマイクと、呼出音及び通話音声を増幅するための増幅回路を備え、玄関子機のスピーカから所定の年代の人物のみが聞こえる周波数が１０ＫＨｚ以上の高周波を出すための発振回路を前記増幅回路の前段に接続したことで、玄関先に所定の年代の人物が居座らないようにした玄関子機を備え、
前記発振回路は、通話時、通報時には発振動作を停止することを特徴とするインターホン装置。
【請求項３】
トイレ内に設置された呼出装置とトイレ壁面等の外部に設置された通報装置とトイレの任意位置に設置された制御装置からなる、公衆トイレなどに使用する緊急呼出装置において、前記制御装置には警報音を発生する警報音発生回路と、警報音を増幅するための増幅回路を備え、通報装置のスピーカから害虫や犬・猫の嫌う、周波数が２０ＫＨｚ以上の高周波、あるいは所定の年代の人物のみが聞こえる周波数が１０ＫＨｚ以上の高周波を出すための発振回路を前記増幅回路の前段に接続したことで、トイレ近傍に所定の年代の人物が居座らないようにした通報装置を備え、
前記発振回路は、通話時、通報時には発振動作を停止することを特徴とする緊急呼出装置。
【発明の詳細な説明】
【技術分野】
【０００１】
本発明は玄関等の建物外部に取り付けられ、インターホン子機或いは通報装置のスピーカから特定の対象が嫌う高周波信号を出力することで特定の対象が近寄らないことに関するものである。
【背景技術】
【０００２】
人間の可聴域は加齢とともに狭域化し、３０代になると１０ＫＨｚ以上の周波数はほぼ聞き取れなくなる。この狭域化を利用して、２０代以下の所定の年代の人物が滞留する場所にスピーカを設置し、１０ＫＨｚ以上の周波数の音声信号を放音することにより、２０代以下の所定の年代の人物の滞留を防止する装置が設置されている。
【先行技術文献】
【特許文献】
【０００３】
【特許文献１】特開２０１０−１８４７５６号公報
【発明の概要】
【発明が解決しようとする課題】
【０００４】
これらの滞留防止装置には専用装置の設置が必要であり、設置費用が高額となるとともに他の既設機器と干渉しないような設置場所の選定についても検討が必要であった。
【課題を解決するための手段】
【０００５】
上記課題を解決するため、本発明によるインターホン装置及び緊急呼出装置は対象とする人物や害虫が嫌う周波数を発生する発振回路とそれを放音するスピーカから構成される。
【０００６】
本発明によれば、発振回路以外の全ての回路は既存のインターホン装置及び緊急呼出装置を兼用して使用することができる。
【発明の効果】
【０００７】
請求項１の発明によれば、既存装置に発振回路を付加するのみで玄関子機から発せられる高周波により害虫あるいは犬・猫が近づかないもしくは減少させることができる。
【０００８】
請求項２の発明によれば、既存装置に発振回路を付加するのみで玄関子機から発せられる高周波により所定の年代の人物が玄関先に滞留しないもしくは早々に立ち去らせることができる。
【０００９】
請求項３の発明によれば、既存装置に発振回路を付加するのみで通報装置から発せられる高周波により公衆便所でも請求項１または請求項２の効果を得ることができる。
【００１０】
請求項４の発明によれば、通話時、通報時には発振動作を停止するため、通話、通報動作に悪影響を及ぼすことがない。
【図面の簡単な説明】
【００１１】
【図１】図１は本装置の説明図を示したものであり、図１（ａ）はインターホン装置の実施方法（実施例１）、図１（ｂ）は緊急呼出装置の実施方法（実施例２）を示した説明図である。
【図２】図２は本装置のブロック図を示したものであり、図２（ａ）はインターホン装置の実施方法（実施例１）、図２（ｂ）は緊急呼出装置の実施方法（実施例２）を示した説明図である。
【発明を実施するための形態】
【００１２】
インターホン装置及び緊急呼出装置の増幅回路、スピーカを高周波信号の出力に使用することで、最少の部品点数で高周波信号の出力を実現した。
【実施例１】
【００１３】
図１は本装置の説明図を示したものであり、図１（ａ）において、１は室内に設置され、後述する玄関子機から呼出を受けて通話や来訪者の画像表示を行なうとともに忌避信号を発振する親機、２は建物外部の玄関近傍に設置され、親機１に呼出信号を送り、親機からの指示により親機との通話路を確立し、来訪者を撮像するとともに、忌避信号を放音する玄関子機である。
【００１４】
図２は本装置のブロック図を示したものであり、図２（ａ）において、親機１には可聴域と比較して高い１０ＫＨｚないしは２０ＫＨｚ以上の高周波Ｓ１を発振する発振回路１１と、玄関子機２との通話を行なうためのスピーカ１２、マイク１３と、親機１の動作全体を制御するとともに、玄関子機２に対する制御信号を送出するＣＰＵ１９と、ＣＰＵ１９の制御により呼出音Ｓ３を発生する呼出音発生回路１８と、玄関子機２で撮像された映像を表示するＬＣＤ１５と、玄関子機２が駆動するための電力を供給する子機電源回路１７と、発振回路１１で発振した高周波Ｓ１、マイク１３で集音した音声Ｓ２、呼出音発生回路１８で発生した呼出音Ｓ３をそれぞれ増幅する増幅回路１６と、増幅回路１６、子機電源回路１７、ＣＰＵ１９の信号を多重化して玄関子機２に送出する多重回路１４とを備えている。また、玄関子機２には親機１で出画する映像を撮像するカメラ２１と、親機１との通話を行なうために音声を集音するマイク２３と、親機１との通話を行なうために音声Ｓ２を放音するとともに高周波Ｓ１を放音するスピーカ２２と、玄関子機２の動作全体を制御するとともに、親機１に対する応答信号を送出するＣＰＵ２９と、カメラ２１、マイク２３、ＣＰＵ２９の信号を多重化して親機１に送出する多重回路２４とを備えている。
【００１５】
以下、動作について図２（ａ）をもとに説明する。親機１と玄関子機２が通話を行なっていない状態においては、カメラ２１、スピーカ１２、マイク１３、マイク２３は動作を停止している。この状態において、玄関子機２の周辺に近寄る虫、犬、猫を追い払うため、ＣＰＵ１９の制御により、発振回路１１から２０ＫＨｚ以上の高周波Ｓ１が発振され、増幅回路１６に送られる。増幅回路１６では、発振回路１１からの高周波Ｓ１を増幅して、多重回路１４に送出する。多重回路１４では、電源供給のために常時稼働している子機電源回路１７からの電源電流と増幅回路１６からの高周波Ｓ１を多重して玄関子機２に送出する。
【００１６】
玄関子機２では、親機１からの信号を多重回路２４で電源電流と高周波Ｓ１に分離し、高周波Ｓ１をスピーカ２２から鳴動させる。これにより、可聴域を超えた周波数の高周波Ｓ１がスピーカ２２から鳴動することにより、玄関子機２付近を通行する人物に違和感を与えることなく、虫、犬、猫を追い払うことができる。
【００１７】
また、高周波Ｓ１をスピーカ２２から鳴動させた状態で訪問客が玄関子機２の図示しない呼出ボタンにより呼出操作を行なうと、呼出信号が玄関子機２から親機１のＣＰＵ１９に送られる。呼出信号を受信したＣＰＵ１９は、発振回路１１から発振している高周波Ｓ１を停止させるとともに、呼出音発生回路１８から呼出音Ｓ３を発生する。呼出音Ｓ３は増幅回路１６で増幅され、スピーカ１２で居住者に来客を知らせるために鳴動するとともに、高周波Ｓ１と同じ経路で多重回路１４、玄関子機２の多重回路２４を介してスピーカ２２から呼出確認音として鳴動する。
【００１８】
室内から親機１の図示しない応答ボタンにより応答操作を行なうと、ＣＰＵ１９は呼出音Ｓ３を停止するとともに、マイク１３を能動とし、マイク１３からの音声は増幅回路１６増幅され、高周波Ｓ１と同じ経路で多重回路１４、玄関子機２の多重回路２４を介してスピーカ２２から通話音声として放音する。
【実施例２】
【００１９】
第２の実施例として、インターホン装置に代えて、公衆便所等に設置された緊急呼出装置に適用した例を示す。本実施例では図１（ｂ）において、図１（ａ）と比較して親機1の代わりに制御装置１ａと呼出ボタン１０１を、玄関子機２に代えて通報装置２ａを備えている。
【００２０】
図２（ｂ）は本実施例における本装置のブロック図を示したものであり、図２（ａ）と同様の動作をするものについては同一の符号を附して説明を省略している。図２（ｂ）において、制御装置１ａには発振回路１１と、ＣＰＵ１９と、呼出ボタン１０１の操作により警報音Ｓ３ａを発生する警報音発生回路１８ａと、子機電源回路１７と、発振回路１１で発振した高周波Ｓ１、警報音発生回路１８ａで発生した警報音Ｓ３ａをそれぞれ増幅する増幅回路１６と、多重回路１４とを備えている。また、通報装置２ａには制御装置１ａからの高周波Ｓ１及び警報音Ｓ３ａを放音するスピーカ２２を備えている。
【００２１】
以下、動作について図２（ｂ）をもとに説明する。制御装置１ａが警報動作を行なっていない状態においては、スピーカ２２は動作を停止している。この状態において、通報装置２ａの周辺、つまり公衆便所の近くに滞留する２０代以下の所定の年代の人物を追い払うため、ＣＰＵ１９の制御により、発振回路１１から１０ＫＨｚ以上の高周波Ｓ１が発振され、増幅回路１６に送られる。増幅回路１６では、発振回路１１からの高周波Ｓ１を増幅して、多重回路１４に送出する。多重回路１４では、電源供給のために常時稼働している子機電源回路１７からの電源電流と増幅回路１６からの高周波Ｓ１を多重して通報装置２ａに送出する。
【００２２】
通報装置２ａでは、制御装置１ａからの高周波Ｓ１をスピーカ２２から鳴動させる。これにより、２０代以下の所定の年代の人物にしか聞こえない周波数の高周波がスピーカ２２から鳴動することにより、公衆便所の近くを通行する一般人に違和感を与えることなく、２０代以下の所定の年代の人物がたむろすることを防ぐことができる。
【００２３】
また、高周波Ｓ１をスピーカ２２から鳴動させた状態で公衆便所内の利用者に非常事態が発生して呼出ボタン１０１の操作が発生すると、呼出ボタン１０１の操作を検出した警報音発生回路１８ａは、発振回路１１から発振している高周波Ｓ１を停止させるとともに、警報音Ｓ３ａを発生する。警報音Ｓ３ａは増幅回路１６で増幅され、高周波Ｓ１と同じ経路で多重回路１４を介してスピーカ２２から警報音として鳴動する。
【００２４】
制御装置１ａ、あるいは呼出ボタン１０１の近傍にある図示しない復旧ボタンにより復旧操作を行なうと、ＣＰＵ１９は警報音Ｓ３ａを停止するとともに、前述の動作により再び高周波Ｓ１をスピーカ２２から鳴動させる。
【産業上の利用可能性】
【００２５】
第１の実施例においては戸建住宅を例にとって説明したが、集合住宅でも同様の効果を奏する。集合住宅の場合は、任意の１台の親機、あるいは図示しない制御装置が発振回路を有していればよい。
【００２６】
また、第１の実施例においては公衆便所を例にとって説明したが、公共施設やショッピングセンター内のトイレに設置された緊急呼出装置でも同等の効果を有する。
【符号の説明】
【００２７】
１    親機
１ａ  制御装置
２    玄関子機
２ａ  通報装置
１１    発振回路
１３    マイク
１６    増幅回路
１８    呼出音発生回路
１８ａ  警報音発生回路
２２    スピーカ
１０１  呼出ボタン
Ｓ１    高周波
Ｓ２    音声
Ｓ３    呼出音
Ｓ３ａ  警報音
【図１】
0005583617.tif 000002
【図２】
0005583617.tif 000003